【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
娯楽用乗り物であって、軌道システムと、該軌道システムに可動的に連結されたアタッチメント組立体と、該アタッチメント組立体に連結され、少なくとも１つの乗り手座席を備える座席組立体を含む乗り物組立体とを有し、該乗り物組立体は、前記座席組立体を前記軌道システムとは無関係な第１、第２及び第３の軸線の回りに丸一回転させる手段を含む、娯楽用乗り物。
【請求項２】
軌道システムは、無端ローラーコースタ軌道から成り、アタッチメント組立体は、ローラーコースタ軌道に可動的に連結されたボギー台車を有していることを特徴とする請求項１記載の娯楽用乗り物。
【請求項３】
軌道システムは、少なくとも１つの竪形塔状軌道を有することを特徴とする請求項１記載の娯楽用乗り物。
【請求項４】
乗り物組立体は、アタッチメント組立体から延びていてアクチュエータに作動的に結合された第１のアームを有し、第１のアームは、第１の軸線回りに自由に又は選択的に回転できるようになっており、座席組立体は、アクチュエータにより第１のアームに回転自在に連結された第２のアームに連結され、第２のアームは、第１のアームとは無関係な第２の軸線回りに自由に又は選択的に回転できるようになっていることを特徴とする請求項１記載の娯楽用乗り物。
【請求項５】
第１のアームは、ヨーアクチュエータに取り付けられた全体として半円形のアームから成り、ヨー回転がアームに与えられ、座席組立体を支持した第２のアームは、半円形アームの端部から全体として横断方向に延びていて、ピッチ回転が第２のアームに与えられるようピッチアクチュエータに連結されていることを特徴とする請求項４記載の娯楽用乗り物。
【請求項６】
ロール回転が座席組立体に与えられるよう座席組立体に作動的に連結されたロールアクチュエータを有していることを特徴とする請求項５記載の娯楽用乗り物。
【請求項７】
第１のアームは、アタッチメント組立体から延びていてヨー回転が座席組立体に与えられるようヨーアクチュエータに結合されたシャフトを有し、少なくとも１つの座席組立体を支持した第２のアームは、第１のアームから全体として横断方向に延び、第２のアームは、ピッチ回転が座席組立体に与えられるようピッチアクチュエータに結合されていることを特徴とする請求項４記載の娯楽用乗り物。
【請求項８】
ロール回転が座席組立体に与えられるよう少なくとも１つの座席組立体に作動的に連結されたロールアクチュエータを有していることを特徴とする請求項７記載の娯楽用乗り物。
【請求項９】
第１のアームは、全体として円形の主リングハウジングから成り、第２のアームは、主リングハウジングの互いに反対側の側部相互間に延びていて乗り手座席を支持したピッチバーから成ることを特徴とする請求項４記載の娯楽用乗り物。
【請求項１０】
アタッチメント組立体と乗り物組立体との間に相互連結された歯車組立体を有し、主リングハウジングは、歯車組立体の回転自在なヨー歯車に連結され、ヨー回転が座席組立体に与えられ、ピッチバーの歯車が歯車組立体のピッチ歯車と噛み合い、ピッチ回転が座席組立体に与えられることを特徴とする請求項９記載の娯楽用乗り物。
【請求項１１】
主リングハウジング内に設けられていてピッチバーに連結されたローラを含む割り型内レース組立体を有し、割り型内レース組立体は、歯車組立体のロール歯車に作動的に結合され、ロール回転が座席組立体に与えられることを特徴とする請求項１０記載の娯楽用乗り物。
【請求項１２】
乗り物組立体は、アタッチメント組立体から延びていて座席組立体を支持したジャイロスコープ組立体に回転的に結合された半円形アームを有していることを特徴とする請求項１記載の娯楽用乗り物。
【請求項１３】
ジャイロスコープ構造体は、第１の軸線回りの回転を座席組立体に与えるアクチュエータにより半円形アームに結合された第１の全体として円形のリングと、第１のリング内に設けられていて第２の軸線回りの回転を座席組立体に与えるアクチュエータにより第１のリングに結合された第２の全体として円形のリングと、第２のリング内に設けられていて第３の軸線回りの回転を座席組立体に与えるアクチュエータにより第２のリングに回転自在に結合された座席組立体とを有していることを特徴とする請求項１２記載の娯楽用乗り物。
【請求項１４】
娯楽用乗り物であって、軌道システムと、軌道システムに可動的に連結されたアタッチメント組立体と、アタッチメント組立体に連結された乗り物組立体とを有し、乗り物組立体は、アタッチメント組立体から延びていて第１の軸線回りに自由に又は選択的に回転自在であるようアクチュエータに作動的に連結された第１のアームと、アクチュエータにより第１のアームに回転自在に連結されていて第１のアームとは無関係な第２の軸線回りに自由に又は選択的に回転できるようになった第２のアームとを有し、第２のアームは、少なくとも１つの乗り手座席を有する座席組立体を支持していることを特徴とする娯楽用乗り物。
【請求項１５】
ロール回転が座席組立体に与えられるよう少なくとも１つの座席組立体に作動的に連結されたロールアクチュエータを有していることを特徴とする請求項１４記載の娯楽用乗り物。
【請求項１６】
第１のアームは、ヨーアクチュエータに取り付けられた全体として半円形のアームから成り、ヨー回転がアームに与えられ、座席組立体を支持した第２のアームは、半円形アームの端部から全体として横断方向に延びていて、ピッチ回転が第２のアームに与えられるようピッチアクチュエータに連結されていることを特徴とする請求項１５記載の娯楽用乗り物。
【請求項１７】
第１のアームは、アタッチメント組立体から延びていてヨー回転が座席組立体に与えられるようヨーアクチュエータに結合されたシャフトを有し、少なくとも１つの座席組立体を支持した第２のアームは、第１のアームから全体として横断方向に延び、第２のアームは、ピッチ回転が座席組立体に与えられるようピッチアクチュエータに結合されていることを特徴とする請求項１５記載の娯楽用乗り物。
【請求項１８】
軌道システムは、無端ローラーコースタ軌道から成り、アタッチメント組立体は、ローラーコースタ軌道に可動的に連結されたボギー台車を有していることを特徴とする請求項１４記載の娯楽用乗り物。
【請求項１９】
軌道システムは、少なくとも１つの竪形塔状軌道を有することを特徴とする請求項１４記載の娯楽用乗り物。
【請求項２０】
娯楽用乗り物であって、軌道システムと、軌道システムに可動的に連結されたアタッチメント組立体と、アタッチメント組立体に連結された乗り物組立体とを有し、乗り物組立体は、軌道システムとは無関係な第１の軸線に沿ってアタッチメント組立体に回転自在に連結された全体として円形の主リングハウジングと、主リングハウジングの互いに反対側の側部相互間に延びていていて、少なくとも１つの乗り手座席を有する座席組立体を支持したピッチアームとを有し、ピッチアームは、軌道システムとは無関係な第２の軸線に沿って回転自在であることを特徴とする娯楽用乗り物。
【請求項２１】
主リングハウジング内に設けられていてピッチバーに連結されたローラを含む割り型内レース組立体を有し、割り型内レース組立体は、アクチュエータに作動的に結合され、ロール回転が座席組立体に与えられることを特徴とする請求項２０記載の娯楽用乗り物。
【請求項２２】
アタッチメント組立体と乗り物組立体との間に相互連結された歯車組立体を有し、主リングハウジングは、歯車組立体の回転自在なヨー歯車に連結され、ヨー回転が座席組立体に与えられ、ピッチバーの歯車は、歯車組立体のピッチ歯車と噛み合い、ピッチ回転が座席組立体に与えられ、ロール回転を座席組立体に与えるロール歯車が割り型内レースに作動的に連結されていることを特徴とする請求項２１記載の娯楽用乗り物。
【請求項２３】
軌道システムは、無端ローラーコースタ軌道から成り、アタッチメント組立体は、ローラーコースタ軌道に可動的に連結されたボギー台車を有していることを特徴とする請求項２０記載の娯楽用乗り物。
【請求項２４】
軌道システムは、少なくとも１つの竪形塔状軌道を有することを特徴とする請求項２０記載の娯楽用乗り物。
【請求項２５】
娯楽用乗り物であって、軌道システムと、軌道システムに可動的に連結されたアタッチメント組立体と、アタッチメント組立体に連結された乗り物組立体とを有し、乗り物組立体は、アタッチメント組立体から延びていて、少なくとも１つの乗り手座席を有する座席組立体を支持したジャイロスコープ組立体に回転的に結合されたアームを有していることを特徴とする娯楽用乗り物。
【請求項２６】
ジャイロスコープ構造体は、第１の軸線回りの回転を座席組立体に与えるアクチュエータにより半円形アームに結合された第１の全体として円形のリングと、第１のリング内に設けられていて第２の軸線回りの回転を座席組立体に与えるアクチュエータにより第１のリングに結合された第２の全体として円形のリングと、第２のリング内に設けられていて第３の軸線回りの回転を座席組立体に与えるアクチュエータにより第２のリングに回転自在に結合された座席組立体とを有していることを特徴とする請求項２５記載の娯楽用乗り物。
【請求項２７】
軌道システムは、無端ローラーコースタ軌道から成り、アタッチメント組立体は、ローラーコースタ軌道に可動的に連結されたボギー台車を有していることを特徴とする請求項２５記載の娯楽用乗り物。
【請求項２８】
軌道システムは、少なくとも１つの竪形塔状軌道を有することを特徴とする請求項２５記載の娯楽用乗り物。